(57)【特許請求の範囲】
【請求項１】
原子炉圧力容器上蓋、蒸気乾燥機および燃料を取外した後、既設の原子炉再循環ポンプおよび既設のジェットポンプを用いて表面酸化物を除去する化学薬剤を炉内に注入し循環して除染し、次に炉心シュラウドをシュラウドサポートシリンダとの溶接部よりも一定長さ下方位置で切断して撤去し、シュラウドサポートシリンダの略上端高さ位置の炉心シュラウド内方に人が作業できる作業架台を設置した状態で作業員が炉内に入り、残ったシュラウドサポートシリンダ上面を整形加工し、新炉心シュラウドをシュラウドサポートシリンダの上方に固定して溶接することを特徴とする炉心シュラウドの交換方法。
【発明の詳細な説明】
【０００１】
【産業上の利用分野】
本発明は沸騰水型軽水冷却原子炉などの原子炉内に設置される炉心シュラウドの交換方法に関する。
【０００２】
【従来の技術】
一般に、この種の原子炉の炉心シュラウドは、ステンレス鋼製の部材を溶接することによって構成されている。このような炉心シュラウドの炭素含有量が高い場合、長期間の運転の間に溶接部あるいはその付近に応力腐食割れ等により、クラックが生じる可能性がある。このような事象が発生した場合には、原子炉の安全性確保のため、炉心シュラウドの補修あるいは、取換えを行う必要が生じ得る。
【０００３】
しかしながら、長期間使用された炉心シュラウドは中性子照射のために脆化しており、溶接した場合には溶着金属の周辺にさらに細かい割れが生じることもあるため、溶接による補修を難しくしている。また補強部材をボルト結合する方法も考えられるが、高地震地帯に設置された原子炉においてはその採用は限られたものとなる可能性がある。
【０００４】
そこで、最も望ましい方法は炉心シュラウドの取換えと考えられるが、炉心シュラウド自体は下端で炉心シュラウドのサポートリングに溶接されており、またインコアスタビライザ，炉内核計装案内管等との干渉，原子炉内の高放射線量、さらに炉心シュラウドの内部に設置されている上部格子板と炉心支持板との位置調整の困難性、撤去した炉心シュラウドの原子炉外での取扱いの困難性、および大量に発生する廃棄物の処理の困難性等、種々の問題があるため、これまでは交換が極めて困難であると予測されていた。
【０００５】
しかしながら、原子炉の実用運転後、長期間が経過した近年においては、上述した炉心シュラウドの交換が急務となりつつあり、種々の技術が提案されるようになってきている（例；特開昭６３−３６１９５号等）。
【０００６】
ただし、これまでの提案技術では、炉内の高放射化に過敏なあまり、依然として炉心シュラウドの切断や撤去、新シュラウドの据付け等についての全ての操作を遠隔操作によって行うものに偏している。このような全ての操作を遠隔で行う技術では、膨大な手間と時間が掛かり、また細部における具体性が欠けて実用化するには多くの不明確な点が存在するものとなっている。
【０００７】
【発明が解決しようとする課題】
これに対し、近年では原子炉設備の汚染物質除去（以下、「除染」という）についての技術が著しく進歩し、例えば過マンガン酸塩溶液等の化学薬剤を用いて放射線汚染個所を極めて有効に洗浄する提案等もなされている（例：特公平３−１０９１９号等）。ところが、このような原子炉内の放射線量当量率の低減技術を応用して炉心を洗浄し、遠隔作業以外の作業員によるシュラウド交換技術については、これまで特に提案されていない。
【０００８】
原子力発電所では、給水・復水系、原子炉一次系等に使用される材料からの腐食生成物が溶解または剥離（エロージョン）によって一次系に放出され、炉心領域に付着して放射化される。その一部は再び放射化腐食生成物として放出され、炉心外領域の原子炉圧力容器、構造物、配管等を汚染する。
【０００９】
汚染形態としては、一般に内層と呼ばれる材料表面に生成する酸化被膜に取込まれる放射化腐食生成物による固着した汚染と、外層と呼ばれる一次冷却材中に浮遊する不溶解性の放射化腐食生成物が内層の上に弱く付着した汚染が考えられる。
【００１０】
化学除染法は上記内層、外層を構成する金属酸化物を化学除染剤の還元反応によって溶解することによって、汚染した放射能を除去する方法である。高圧ジェット水等の機械除染法では比較的付着力の小さい外層部分を剥離・除去することに特徴があるのに比べて、化学除染法は外層だけでなく、固着した内層の酸化皮膜まで取除くことから、高い除染効率が得られるのが特長である。化学除染により得られる除染係数（ＤＦ）は通常、数１０〜数１００が可能であり、汚染レベルが高いほど大きい値が得られる。
【００１１】
本発明者等においてはシュラウド取替え工事について、原子炉内における気中作業に着目した。この場合、特にシュラウドサポートリングのレベルにおける開先加工、手動溶接に時間を要する。このレベルの雰囲気線量当量率が１ｍＳｖ／ｈの場合、約１時間の作業が可能である。炉内化学除染とその後に放射化炉内構造物を鉄板等で遮蔽することにより、炉底部分の気中線量当量率は０．１ｍＳｖ／ｈ以下にすることが可能である。したがって、原子炉内での作業被曝を低く抑え、長時間の作業が可能となる。また、放射化した腐食生成物が除去されることから、乾燥して大気を汚染するダストの問題が軽減され、作業員の内部被曝防護の観点でも安全性を高めることとが可能となる。
【００１２】
本発明は以上のような事情に鑑みてなされたもので、原子炉内の炉心シュラウドを交換する必要が生じた場合、遠隔操作のみに依存する必要なく、しかも被曝の問題を生じることなく、短い時間で効率よく、元の炉心シュラウドと殆ど同様の構造体との交換を行うことができる炉心シュラウドの交換方法を提供することを目的とする。
【００１３】
【課題を解決するための手段および作用】
前記の目的を達成するために、本発明に係る炉心シュラウドの交換方法は、原子炉圧力容器上蓋、蒸気乾燥機および燃料を取外した後、既設の原子炉再循環ポンプおよび既設のジェットポンプを用いて表面酸化物を除去する化学薬剤を炉内に注入し循環して除染し、次に炉心シュラウドをシュラウドサポートシリンダとの溶接部よりも一定長さ下方位置で切断して撤去し、シュラウドサポートシリンダの略上端高さ位置の炉心シュラウド内方に人が作業できる作業架台を設置した状態で作業員が炉内に入り、残ったシュラウドサポートシリンダ上面を整形加工し、新炉心シュラウドをシュラウドサポートシリンダの上方に固定して溶接することを特徴とする。
【００１４】
このような本発明の方法によれば、炉心シュラウド内に作業員が入り込んで作業を行うことが可能となり、遠隔操作のみに依存する場合に比較して、構造物に損傷を来すことなく構造剤の取外しや装着が行える。また、作業誤差や測定誤差を防止できるとともに、短時間で作業が可能となり、遠隔操作を行う場合に比べて費用も低減できるようになる。
【００１５】
また、炉心シュラウドの内外を開放した状態で化学薬剤により表面酸化物を除去する炉内除染を行なうようにし、この工程で、原子炉再循環ポンプ系統に化学薬剤を注入してジェットポンプによる炉水循環を行うことにより、原子炉圧力容器内の表面酸化物を除去することで、炉内において作業員の被曝低減が確実に図れ、作業員の炉内へのアクセスが可能となり、前記の作用が実現できる。また、この化学除染においては、既存の原子炉再循環ポンプ系およびジェットポンプなどを主に使用することで、新しくポンプ類を設置する必要がなく、また炉水全体を容易に循環させることができるので、作業効率を向上することができる。
【００１６】
なお、本発明の望ましい態様は、以下の通りである。
【００１７】
炉内除染の後、炉心シュラウド切断の前に、ジェットポンプインレットミキサを取外して、炉心シュラウド上部周辺の空間を拡大する。これにより、炉心シュラウドを吊り上げて取り外す場合のスペースが拡大され、シュラウドの取外し作業が容易になるとともに、その吊り上げ時に炉心シュラウドが横揺れしてジェットポンプインレットミキサ部に接触して破損する等の不都合を回避することができる。
【００１８】
ジェットポンプインレットミキサ取外しの後、ジェットポンプディフューザ上端を遮蔽体で被覆する。これにより、炉内で最も放射線量の高い部位である、ジェットポンプディフューザの遮蔽効果が得られる。また、炉内線量に応じ、炉心シュラウド内のジェットポンプ対応位置に筒状の遮蔽体を配置する。これにより、炉内の作業員に対する放射線被曝防止がさらに確実となる。
【００１９】
炉心シュラウドの切断工程において、放電加工、機械加工またはウォータジェット加工により、炉心シュラウドを上方から順に複数の短かい筒状セグメントとして切断しながら撤去する。例えば炉心シュラウドの上部胴と中間部胴との間で切断し、その上部胴のみを切断撤去する場合には、中間部胴から下の部分を再利用することができるので、取換え日程が少なく、また廃棄物を減少することができる。また、炉心シュラウドを短かい筒状セグメントとして切断撤去することで、機器貯蔵プール等への分散または積層状態での収納が各種選択でき、保管も容易に行えるようになる。
【００２０】
炉心シュラウドの各切断工程においては、まず炉心シュラウドの周方向に沿って間隔的に切断開口部を形成してゆき、その複数の切断開口部に支持用のブロックを挿入した状態で、残存した非切断部の切断を行って炉心シュラウドの傾動を阻止するようにする。このような切断手順を行うことによって、切断した炉心シュラウドを垂直状態に保持して、接触や外れ等を防止して安全に撤去することができる。
【００２１】
炉心シュラウドの切断に際しては、炉心シュラウドとシュラウドサポートシリンダとの溶接部近傍での切断位置を、溶接による熱影響を受けるシュラウドサポートリング上端側部位、例えば５ｍｍを除いた高さ位置とする。これにより、シュラウドサポートシリンダの溶接部近傍が熱影響によって変質している可能性を考慮し、交換後の炉心シュラウドの強度的な信頼性を得ることができる。例えば炉心シュラウドがＳＵＳ３０４鋼製、シュラウドサポートシリンダがインコネル製である場合、異素材の溶接により撤去されずに残存するシュラウドサポートシリンダの溶接部の熱影響部（約５ｍｍ程度）では応力腐食割れの可能性がある。この応力腐食割れの可能性のある部分を全て撤去することで、例えば新シュラウドを溶接固定する場合の再加熱による熱影響を防止して、新シュラウドの耐用寿命を長期化することができる。
【００２２】
炉内各計装配管の切断作業は、インコアスタビライザの上方で行うことが望ましい。これにより、再度インコアスタビライザを取付ける必要がなくなり、工期の短縮および被曝低減が有効に図れる。
【００２３】
取外した蒸気乾燥器および気水分離器兼シュラウドヘッドは、機器貯蔵プール内に積重ね状態で収容する。また、切断した炉心シュラウドのセグメントを、取外した炉内構造物と積重ね状態で機器貯蔵プール内に収容する。これにより、機器貯蔵プール内のスペースを有効に利用して、蒸気乾燥器、気水分離器および切断した炉心シュラウド等を効率よく保管することができる。
【００２４】
蒸気乾燥器を気水分離器兼シュラウドヘッドの上方に重ねる場合には、機器貯蔵プール内に組込んだ支持部材によって、原子炉内における組立てと略同様な高さおよび同心的配置とすることが望ましい。これにより蒸気乾燥器が原子炉内の設置状態と同様の支持状態となり、破損防止等が有効に図れる。
【００２５】
作業架台は、上面に炉心シュラウドの周壁と平行なガイドを有するものとし、このガイドに沿って炉心シュラウドの切断機器、切断面整形機器または新炉心シュラウド固定用の溶接機器等を移動させることにより、炉心シュラウドの切断、切断面の整形または溶接固定等を行う。これにより、炉心シュラウドの切断、切断面整形または新炉心シュラウド固定用の溶接作業等を効率よく、また高精度で、確実かつ安全に行うことができる。
【００２６】
新シュラウドの溶接固定に際しては、予め新シュラウドとシュラウドサポートとの少なくともいずれか一方で、これらの溶接により熱影響を受けることとなる部位の内周面側または外周面側に、耐食性金属その他の強化材料からなる溶接肉盛りを施す。炉心シュラウドが例えばＳＵＳ３０４材である場合、含有炭素料が多い等の理由で応力腐食割れの感受性が高いので、新シュラウドについてはＳＵＳ３１６等の応力腐食割れが少ない材料製のものに交換することができるが、新シュラウドをＳＵＳ３０４材製とする場合、また交換せずに残存するＳＵＳ３０４材製のシュラウドサポートシリンダについては、熱影響を受ける部位に溶接肉盛りを施すことで、溶接部からの応力腐食割れ等による損傷の予防を図ることができる。なお、炉心シュラウドの下端部に必要に応じてインコネルの肉盛りを施してもよい。
【００２７】
新シュラウドのシュラウドサポートシリンダへの固定は溶接による固着、またはボルト締め、ピン結合その他の機械的接合手段による着脱可能な接合固定とする。炉心シュラウドとシュラウドサポートシリンダとの固定は通常、溶接による場合が多いが、さらに後の交換を考慮した場合には、機械的接合手段による着脱可能な固定構造の採用が有力なものとなる。なお、炉心シュラウドをシュラウドサポートシリンダに溶接する場合には、溶接作業をシュラウド内周側から行う。これにより、外周側から行う場合に比較して広い空間を利用して効率よく溶接作業を行うことができる。
【００２８】
炉心シュラウドの交換に際しては、作業員が乗り込み可能なカプセルを準備し、このカプセルを燃料交換作業フロアあるいは原子炉圧力容器フランジから作業架台上まで、原子炉建屋の天井クレーンあるいはエレベータによって昇降させる。これにより、作業の迅速性および安全性が確保できる。
【００２９】
また、炉心シュラウドの交換に際し、炉心シュラウドの取外し前または取外し後にジェットポンプも交換する。炉心シュラウドを設置した状態でジェットポンプのみを単体で交換しようとしても、ジェットポンプが設置される原子炉圧力容器の炉壁と炉心シュラウドとの空間は狭隘であってジェットポンプの交換設置は不可能である。したがって、シュラウド交換に関連してジェットポンプも交換することで、効率よく両者の交換が行えるようになる。
【００３０】
炉心シュラウドの交換に際し、シュラウド交換の工程で原子炉内に設置した作業架台上で、作業員により原子炉圧力容器内に据え付けられている機器の検査、補修、あるいは応力腐食割れ等に対する予防保全処理を行う。このような方法によれば、前述した化学除染によって炉内の放射線レベルが低下し、原子炉新設時と略同様に作業員が入り込むことができることから、遠隔操作では困難な検査、補修、予防保全処理等を有効的に行うことができる。
【００３１】
切断撤去した炉心シュラウドは、原子炉建屋に隣接した場所に設けたライニング槽に移送して保管する。これにより、オペレーションフロア上でのスペースが確保できるとともに、作業員の被曝防止が図れる。
【００３２】
炉心シュラウドの交換に際し、炉内核計装配管および差圧・ホウ酸水注入配管を一旦切断し、撤去しておく。これにより、交換すべき炉心シュラウドの撤去の際に、移動を阻害する構造物を除外して容易に炉心シュラウドの交換が行える。新シュラウドの据付け後においては、新規に制作した炉内核計装配管および差圧・ホウ酸水注入配管を継合して復旧させればよい。この場合、作業架台には、その下方に配置されることになる炉内各計装案内管の溶接を可能とする部分的な開口部を設けておくことで、被曝防止が有効に図れる状態で作業員による溶接作業が可能となる。
【００３３】
また、差圧・ホウ酸水注入配管の継合については機械的に圧接したり、シールやネジ等の接続方法も考えられるが、溶接によって接続することが、漏れ防止および流れの抵抗低減のために望ましい。なお、炉内核計装配管および差圧・ホウ酸水注入配管は小径であるため、溶接による継合が困難な場合には、形状記憶合金製の継手を使用して、遠隔操作による接合を行うこともできる。これにより、作業員の被曝を大幅に低減することが可能となる。
【００３４】
一方、原子炉圧力容器のフランジ上に設ける足場から上方に例えば２ｍ程度突出する延長棒を用意し、この延長棒を差圧・ホウ酸水注入配管または炉内各計装管の先端に取付け、これをガイドとして炉心支持板に貫通させて炉心支持板を吊下すようにすれば、炉心支持板の円周方向のずれや炉心方向のずれを少くして、炉心支持板を容易に炉心シュラウドの定位置に据え付けることができる。
【００３５】
また、炉心シュラウドの交換に際しての自動溶接時あるいは検査待ち時に、作業員が退避できる放射せん遮蔽壁を有する退避室を作業架台上に用意しておけば、作業の合間にエレベータ等でオペレーションフロアまで上がる場合等に比較して作業効率を一層向上することができるとともに、作業員の被曝防止を確実に図れる。なお、退避室は必要な場合には吊上げ等によって上方に移動できるようにすることが、より望ましい。
【００３６】
また、炉心シュラウド交換における炉水の水位上昇をアニュラス部のみに限定し、新上部格子板および新炉心支持板の取付けが完了した後に、シュラウド内の水位を上げるようにすれば、水による放射線の高遮蔽効果により、炉心シュラウド内の作業員への原子炉圧力容器またはジェットポンプからの放射線被曝を効果的に防止することができる。
【００３７】
原子炉圧力容器または炉底部に据付られている機器の予防保全処理については、原子炉圧力容器の炉底部の炉水を抜き、炉内に設置した作業架台の一部に開けた開口からショットピーニング装置を炉底部に下ろし、スタブチューブ、制御棒駆動機構ハウジングおよび炉内核計装ハウジング等の炉底部に据付けられている機器をショットピーニング施工することにより、材料や溶接部の表面を圧縮応力に変えるようにする。これにより、材料や溶接部に発生する亀裂（応力腐食割れ等）を防止することができる。この場合の機器の予防保全処理方法としては、例えば炉底部に据付けられている機器の表面に白金（Ｐｔ）、パラジウム（Ｐｂ）等を含有するステンレス鋼またはインコネル鋼等を溶射し、白金やパラジウム等が水の放射線分解により生成した水素および酸素を再結合させる触媒として働くようにする。これにより、炉内の溶存酸素を減少させ、腐食電位を定価させることで、応力腐食割れ等を防止することができる。
【００３８】
なお、取出した上部格子板および炉心支持板の健全性が維持されている場合には、再度これら上部格子板および炉心支持板を利用することで低コスト化および廃棄物の低減が図れる。
【００３９】
【実施例】
以下、図面を参照して本発明の実施例を説明する。
【００４０】
図１〜図４２は本発明の一実施例を示している。図１は炉心シュラウドを切断撤去した状態を示す原子炉建屋の全体構成図、図２〜図４は本実施例による一連の手順を示すフローチャート、図５〜図２３は炉心シュラウドの交換作業を順次に示す構成図、図２４〜図４２は作業の要点を詳細に示す構成図である。
【００４１】
本実施例による炉心シュラウドの交換方法の対象となる沸騰水型原子炉では、図５に示すように、原子炉圧力容器１内に、炉心シュラウド２が配置され、この炉心シュラウド２がシュラウドサポートシリンダ３によって支持されている。シュラウドサポートシリンダ３は、シュラウドサポートレグ４によって原子炉圧力容器１との底部に支持されている。炉心シュラウド２の上部には上部格子板５が設けられ、下部には炉心支持板６が設けられている。炉心シュラウド２の外周側にはジェットポンプ７が設けられ、このジェットポンプ７は、ジェットポンプディフューザ７ａ，ジェットポンプライザ管７ｂ，ジェットポンプインレットミキサ７ｃにより構成されている。ジェットポンプ７の下方にはバッフルプレート８が設けられている。
【００４２】
また、炉心シュラウド２内には、制御棒９および燃料１０が設けられ、炉心シュラウド２の上方には、制御棒案内管１１，炉心スプレイ配管１２，低圧注水配管１３，差圧検出・ホウ酸水注入配管１４，蒸気乾燥器１５，気水分離器兼シュラウドヘッド１６等の機器が設けられている。
【００４３】
このような構成の原子炉圧力容器１における炉心シュラウドの交換方法を、まず、図２〜図４のフローチャートおよび図５〜図２３の構成図によって説明する。
【００４４】
（１）通常の定期検査時と同様に、図５の状態において、原子炉圧力容器１から原子炉圧力容器上蓋１７および蒸気乾燥器１５を原子炉建屋２３の天井クレーン２４により取外す（ステップ１０１）。この時、炉水は原子炉圧力容器１のフランジ下部に維持される。
【００４５】
（２）原子炉ウェル１８を満水とし、天井クレーンに２４より気水分離器兼シュラウドヘッド１６を取外し（ステップ１０２）、この後、炉心部から燃料１０を全数燃料プールに移動して（ステップ１０３）、炉水水位レベルを原子炉圧力容器１のフランジ下部に戻し、図６に示す状態とする。
【００４６】
（３）炉内核計装案内管２５内を通って上部格子板５と炉心支持板６との間を占めているドライチューブ・ＬＰＲＭ検出器集合体２２を取外し、上部格子板５と炉心支持板６との間を空にする（ステップ１０４）。なお、以上の手順は、炉心シュラウド２を取外した後に上方へ撤去する空間を確保するために行うもので、順序は前後してもよい。
【００４７】
（４）この状態から、燃料支持金具１０ａ，制御棒９および制御棒案内管１１を取外す（ステップ１０５）。制御棒案内管１１を取外す際には、ペデスタル室１９より、制御棒駆動機構２０および図示しないサーマルスリーブを制御棒駆動機構ハウジング２１から引抜いておく必要がある。取外した制御棒駆動機構２０およびサーマルスリーブは収納箱に収納し、ペデスタル室１９から燃料交換作業フロア等に移動し、保管しておく。あるいは制御棒案内管１１を取外した後に、制御棒駆動機構ハウジング２１の中に戻しておくこともできる。
【００４８】
（５）炉心シュラウド２の上方に設置されている給水スパージャ２６の取外し（ステップ１０６）、炉心スプレイ系配管１２の切断撤去（ステップ１０７）、原子炉圧力容器１内壁のブラケットから吊り下がり、炉心シュラウドのブラケットの穴に差し込まれている案内棒２７の切断撤去（ステップ１０８）、および低圧注入配管１３のカップリングの取外し（ステップ１０９）等を行う。これにより、図７に示すように、炉心シュラウド２の内部は空の状態となる。
【００４９】
（６）この状態から図８に示すように、上部格子板５および炉心支持板６を順次に吊上げて取外す（ステップ１１０，１１１）。この上部格子板５および炉心支持板６の取外しについては後に詳述する。また、炉内核計装案内管２５の上部ならびにインコアスタビライザ２８の全部または一部を切断撤去するとともに（ステップ１１２）、原子炉圧力容器１の底部を貫通して炉心シュラウド２の内壁に沿って立上がっている差圧検出・ホウ酸水注入配管１４も切断撤去する。切断された配管は炉心シュラウド２の内壁に取付けた金具に引掛かり、炉心シュラウド２に残留する。炉心シュラウド２とシュラウドサポートシリンダ３との溶接線の位置がインコアスタビライザ２８の位置に対して高い位置にあるプラントでは、既存のインコアスタビライザ２８を残して、炉内核計装案内管２５を切断することもできる。
【００５０】
（７）原子炉ウェル１８内における原子炉圧力容器１の上方部位に、上下開口の筒状のシール容器２９を取付け、周囲から液密に隔離する（ステップ１１４）。これは、次のステップにおける炉内の化学除染の際、炉内を周囲から隔離するためである。
【００５１】
（８）原子炉圧力容器１の内部を化学薬剤により除染する（ステップ１１５）。
【００５２】
この工程については後に詳述するが、原子炉再循環ポンプ系統に化学薬剤を注入し、ジェットポンプ７を利用して炉内で循環させることで、作業員が炉内に入ることができるレベルまで放射線量率を低減させるものである。
【００５３】
（９）シール容器２９を一旦取外し（ステップ１１６）、ジェットポンプインレットミキサ７ｃを取外す（ステップ１１７）。これは、ジェットポンプ７における同部分の汚染度が高ことから、炉内作業時の線量率を低下させるために行うものである。この化学除染についても後に詳述する。
【００５４】
（１０）この後、図９に示すように、炉心シュラウド２の内方下部に作業架台３０を据付ける（ステップ１１８）。そして、図９および図１０に示すように、炉心シュラウド２の切断撤去を行う（ステップ１１９）。この炉心シュラウド２の切断工程においては、放電加工、機械加工またはウォータジェット加工により、炉心シュラウド２を上方から順に複数の短かい筒状セグメント２ａ，２ｂ…として、最終的にシュラウドサポートシリンダ３との溶接部下側部から切断しながら撤去する。詳細な手順については後述する。
【００５５】
（１１）図１１に示すように、前述したシール容器２９を再び原子炉ウェル１８に据付けて炉内を周囲から隔離し、炉水位を作業架台３０の下方まで降下させる（ステップ１２０）。そして、ジェットポンプインレットミキサ取外し後のジェットポンプディフューザ７ａ上端を遮蔽体３１で被覆する。ジェットポンプディフューザ７ａ上端にはコバルトを含有するステライトが耐摩耗材料として使用されており、放射線照射量は極めて高いため、この部分に遮蔽体３１を被せて被曝量を低減するのである。さらに炉内線量率に応じ、炉心シュラウド２内の作業架台３０上に筒状の遮蔽体３２を配置する。また、遮蔽体３２内にエレベータ３４を設置し（ステップ１２１）、カプセル３５内で作業員３３を炉上から昇降させるようにする。
【００５６】
（１２）図１２に示すように、作業架台３０上にガイド３６を取付け、このガイドに沿って切断面成形機器３７を移動させて、シュラウドサポートシリンダ３上面加工を行う（ステップ１２２）。
【００５７】
（１３）この後、図１３に示すように、新シュラウド３８を炉心部に吊り込み（ステップ１２３）、内部に図示しない円筒状の遮蔽体を設置して（ステップ１２４）、図１４に示すように作業員３５が炉内に入り、図１５に示すように、作業架台３０上に取付けた芯出し装置３９によって、新シュラウド３８の芯出しを行う（ステップ１２５）。
【００５８】
（１４）次いで図１６に示すように、溶接装置４０により新シュラウド３８をシュラウドサポートシリンダ３に溶接し（ステップ１２６）、その後、図１７に示すように、炉内核計装案内管２５、インコアスタビライザ２８および差圧検出・ホウ酸水注入配管１４の接続を行う（ステップ１２７）。
【００５９】
（１５）作業架台３０およびエレベータ３４を取外して（ステップ１２７ａ）、図１８の状態とした後、図１９に示すように、新炉心支持板４２を新シュラウド３８に吊り込み（ステップ１２８）、新炉心支持板の芯調整を行った後、ボルト締めにより固定する（ステップ１２９）。
【００６０】
（１６）図２０に示すように、新上部格子板４３を吊り込み、芯位置調整を行う（ステップ１３０）。この後、図２１に示すように、炉心スプレイ系配管１２の立上がり管の溶接（ステップ１３１）、給水スパージャ４４の据付け（ステップ１３２）および新案内棒１１の取付けを行う（ステップ１３３）。
【００６１】
（１７）図２２に示すように、原子炉圧力容器１のフランジ下部まで炉水水位レベルを上昇し（ステップ１３４）、低圧注水配管カップリングを復旧して（ステップ１３５）、原子炉ウェルを満水とする（ステップ１３６）。
【００６２】
（１８）図２３に示すように、ドライチューブ・ＬＰＲＭ検出器集合体２２を復帰させ（ステップ１３７）、燃料支持金具１０ａ，制御棒９および制御棒案内管１１を復帰させて（ステップ１３８）、燃料を装荷する（ステップ１３９）。
【００６３】
そして、気水分離機兼シュラウドヘッド１６を取付け（ステップ１４０）、蒸気乾燥器１５および原子炉圧力容器上蓋１７を取付けて（ステップ１４１）、作業完了となる。
【００６４】
次に、図２４〜図４２によって以上の工程（ステップ１〜ステップ１４１）のうち、主要な工程について詳細に説明する。
【００６５】
図２４は上部格子板５の炉心シュラウド２への支持状態を示している。上部格子板５は炉心シュラウド上端リングの段差部に載置され、ブラケット５１および楔５２によって周囲を固定されている。Ｌ形のストッパ５３は、上部格子板５上面に固定したスタッド５４に螺合したボルト５５に溶接部５６を介して固着されている。そこで、上部格子板５を取外す場合には、同図に示すように、炉心シュラウ２に固定している楔５２，ストッパ５３およびボルト５５を遠隔操作で取外し、これにより上部格子板５を炉心シュラウド２の上方に吊り上げる。
【００６６】
図２５は炉心支持板６の炉心シュラウド２への支持状態を示している。炉心支持板６は、炉心シュラウド２の下部段差部のフランジ５７にボルト５８およびナット５９を介して固定され、ナット５９に被せたコ字形キャップ６０がボルト５８端部にブロック６１を介して溶接部６２により固着されている。そこで、この炉心支持板６を撤去する場合には、図２５に示すように、溶接部６２を遠隔操作で外し、炉心シュラウド２に固定しているボルト５８およびナット５９の取外しを行うことにより、炉心シュラウド２の上方に吊り上げることができる。
【００６７】
このようにして取外した上部格子板５および炉心支持板６は、満水状態とした原子炉ウェル１８に、一旦蒸気乾燥器１５，気水分離器兼シュラウドヘッド１６の保管用ビットに保管し、あるいは原子炉建屋に隣接して設けた槽内に移動して保管等する。なお、上部格子板５および炉心支持板６の他の撤去方法として、放電加工あるいはプラズマ切断等の方法により、小さなセグメントに切断しながら撤去してもよい。
【００６８】
図２６は、化学除染装置システムの構成例を示している。本実施例では前述したように、炉心シュラウド２の撤去および炉水位の低下時の放射線被曝を低減するため、炉心シュラウド２の内側，外側および原子炉圧力容器１の内面部、原子炉圧力容器１の炉底部等の洗浄を行うものである。化学除染は、図２６に示すように、上部格子板５および炉心支持板６を取外した後、炉心シュラウド２およびジェットポンプ７を残した状態で行う。原子炉圧力容器１上部に遮蔽体を取付けて炉水を満水した状態で、原子炉再循環ポンプ６３の流入配管６４に接続した化学薬剤注入装置６５から化学薬剤を注入し、再循環入口ノズルからジェットポンプ７により炉内に薬剤を流入させ炉内で循環させる。この液は過マンガン酸塩養液等を用いたもので、原子炉圧力容器１内の放射化されている酸化物を還元、除去し、再循環出口ノズルから炉外の流出配管６６に排出され、外部に取付けられた冷却材浄化装置６７により循環される。
【００６９】
そして、原子炉再循環ポンプ６３を通って再び炉内に戻される。この過程を何度か繰返すことにより、炉内の各機器および圧力容器内表面についた放射化物質を安全に除去し、これにより炉内の放射線量を飛躍的に低減できる。廃ガスは、廃ガス装置６８によって処理する。なお、この他に炉内の放射線雰囲気の線量を下げるため適宜に炉内構造物の表面のブラシ洗浄あるいはクラッド吸引洗浄を行ってもよい。
【００７０】
例えばシュラウドサポートリング３のレベルにおける開先加工、手動溶接には一定以上の時間を要する。このレベルの雰囲気線量当量率が１ｍＳｖ／ｈの場合、約１時間の作業が可能である。炉内化学除染とその後に放射化炉内構造物を鉄板等で遮蔽することにより、炉底部分の気中線量当量率は０．１ｍＳｖ／ｈ以下にすることができる。したがって、原子炉内での作業被曝を低く抑え、長時間の作業が可能となる。また、放射化した腐食生成物が除去されることから、乾燥して大気を汚染するダストの問題が軽減され、作業員の内部被曝防護の観点でも安全性を高めることができる。また、この化学除染においては、既存の原子炉再循環ポンプ系およびジェットポンプなどを主に使用することで、新しくポンプ類を設置する必要がなく、また炉水全体を容易に循環させることができるので、作業効率を向上することができる。
【００７１】
図２７〜図３２は炉心シュラウド２の交換方法を詳細に示している。
【００７２】
図２７は炉心シュラウド２の切断工程の一例を示している。放電加工、機械加工またはウォータジェット加工により、炉心シュラウド２を上方から順に例えば２つの短かい筒状セグメント２ａ，２ｂとして切断しながら撤去するものである。
【００７３】
図２８は、その切断を行うためのシュラウド切断装置７０および切断作用を示している。炉心シュラウド２の上端段差上に載置する吊上げ可能な基台７１の下面に回動および伸縮する駆動機構７２を設け、この駆動機構７２の先端に連結した回動爪７３を炉心シュラウド２に穿設した係止孔７４に挿入係止して、炉心シュラウド２を吊上げるようにする。また、基台７１の下面から垂下する筒状支持具７５の下端に円周方向に沿うガイドレール７６を設け、このガイドレール７７に車輪を介して走行する放電加工，機械加工あるいは高圧水ジェット方式の切断装置７８を設け、この切断装置７８で炉心シュラウド２の切断を行うようにする。シュラウド切断装置３０は作業架台２９のガイド上に沿って走らせて炉心シュラウド２の切断を行うようにしてもよい。
【００７４】
図２９（Ａ）〜（Ｄ）は炉心シュラウド２の各切断工程を示している。なお、図２９では炉心シュラウド２とシュラウドサポートシリンダ３との切断を示しているが、他の部分の切断も同様である。
【００７５】
まず、図２９（Ａ）の状態から、同図（Ｂ）に示すように、炉心シュラウド２の周方向に沿って間隔的に切断開口部８０を形成してゆく。そして同図（Ｃ）に示すように、その複数の切断開口部８０に支持用のブロック８１を挿入した状態で、残存した非切断部の切断を行って、炉心シュラウドの傾動を阻止するようにする。このような切断手順を行うことによって、切断中に炉心シュラウド２のセグメントを垂直状態に保持して、接触や外れ、あるいは切断装置７０が炉心シュラウド２に挟まれること等を防止して安全に撤去することができる。
【００７６】
図３０、３１、３２は炉心シュラウドの撤去の状態を示している。図３０は図２８に示した状態に対応する全体図であり、原子炉建屋２３に設置するクレーン２４を使用して切断装置７０を吊り、炉心シュラウド２を切断する様子を示している。この状態で例えば上部セグメント２ａの切断が終了したら、図３１の上側に示すように、この切断した上部セグメント２ａをクレーン２４で吊上げて撤去する。その後、図３１の下側に示すように、下部セグメント２ｂの切断に移行する。下部セグメント２ｂの切断が終了したら、図３２に示すように、同様にクレーン２４で吊上げて撤去する。
【００７７】
撤去した炉心シュラウド２のセグメント２ａ，２ｂは、図１に示すように、機器貯蔵ピット７９に移動して収納保管する。この場合、例えばセグメント２ａ，２ｂの一方を、予め撤去した上部格子板５および炉心支持板６の上方に、棚板等の支持具８０を介して設置することで、機器貯蔵ピット７９内のスペースを有効に利用することができる。
【００７８】
なお、最初の段階で取外した蒸気乾燥器１５および気水分離器兼シュラウドヘッド１６についても同様に、図１に示すように、気水分離器兼シュラウドヘッド１６を覆う支持台８１を介して上方に蒸気乾燥器１５を積層することで、原子炉内におけると同様の状態で効率よく保管することができる。この場合、機器貯蔵ピット７９の水上に蒸気乾燥器１５が突出するようなときは、放射線遮蔽材からなるカバー８２で空気露出部分を被覆することで、被爆防止が確実に図れる。
【００７９】
図３３は、炉心シュラウド２をシュラウドサポートシリンダ３から切断撤去する場合の切断位置を詳細に示したものである。本例では炉心シュラウド２とシュラウドサポートシリンダ３との間にシュラウドサポートリング８３を溶接部８４，８５を介して接続した構成を示しているが、このシュラウドサポートリング８３がない場合でも同様である。
【００８０】
すなわち、本実施例では、シュラウドサポートシリンダ３の溶接部８５から一定長さｈだけ下方位置で切断を行う。この長さｈは、例えば溶接による熱影響を受けるシュラウドサポートリング３の上端側部位から５ｍｍに設定する。これにより、シュラウドサポートシリンダ３の溶接部近傍が熱影響によって変質している可能性を考慮し、交換後の炉心シュラウドの強度的な信頼性を得ることができる。例えば炉心シュラウドが２ＳＵＳ３０４鋼製、シュラウドサポートシリンダ３がインコネル製である場合、異素材の溶接により撤去されずに残存するシュラウドサポートシリンダ３の溶接部の熱影響部（約５ｍｍ程度）では応力腐食割れの可能性がある。この応力腐食割れの可能性のある部分を全て撤去することで、例えば新シュラウド３８を溶接固定する場合の再加熱による熱影響を防止して、新シュラウド３８の耐用寿命を長期化することができる。
【００８１】
次に、撤去された炉心シュラウド２に代えて新シュラウドを接合シュラウドサポートシリンダ３上に接合固定する場合について詳説する。
【００８２】
図３４は、新シュラウド３８レベル調整についての説明図であり、図３５および図３６は溶接方法についての説明図である。なお、シュラウドサポートシリンダ３の切断面は、前述したように、予め放電加工あるいは機械加工方式の仕上げ加工装置を作業架台２９の円周状ガイドに沿って走行させて平坦に加工してある。
【００８３】
図３４に示すように、新シュラウド３８の内周面側に予め仮設ブラケット８６を取付けてあり、作業架台３０の周囲にジャッキ８７を何台か置き、新シュラウド３８の仮設ブラケット８６を支持してレベル調整を行う。そして、取付け治具８８を新シュラウド３８とシュラウドサポートシリンダ３との間に仮付けして溶接する。なお、作業台３０上には溶接装置走行のためのレール８９を取付けるとともに、溶接部には溶接裏当金９０を設けておく。
【００８４】
このようにして新シュラウド３８のレベル調整を行った後、図３５に示すように、溶接装置９１によって溶接を行う。新シュラウド３８の溶接は内周側から行うが、溶接からみて裏側にあたる外側のアニュラス部は充分に乾燥させ、溶接時の酸化を防ぐため不活性ガスを封入する。
【００８５】
溶接士を作業架台３０の上に下し、シュラウドサポートシリンダ３の上端面に新シュラウド３８を溶接する。新シュラウド３８がシュラウドサポートシリンダ３の上端部に何パスか溶接され、アニュラス部１９の不活性ガスが新シュラウド３８の内部に漏洩しなくなるまでは溶接士は気密服あるいはマスクを着用し空気を供給する必要がある。作業架台３０の中央に大気室を設け、溶接装置９１のセッティングは大気室より出て行い、自動溶接時の監視は大気室にて行うことにより放射線被曝を減じることも可能である。
【００８６】
新シュラウド３８の溶接時には、原子炉圧力容器１の上部よりアライメントスコープあるいは下げ振りを吊り下げることにより、新シュラウド３８の変形および位置ずれを測定し次のパスの溶接スタート位置の変更あるいは化粧盛りパス溶接等により、それらが設計規定値内になるよう工夫しながら溶接を進める。溶接後あるいは溶接途中で、新シュラウド３８から仮設ブラケット８６および仮付け用の治具８８を除去する。
【００８７】
図３６は、新シュラウドの溶接固定に際して、予め新シュラウド３８とシュラウドサポートシリンダ３との溶接により熱影響を受けることとなる部位の内周面側に、耐食性金属その他の強化材料からなる溶接肉盛り３８ｂ，３ｂを施す場合を示している。炉心シュラウドが例えばＳＵＳ３０４材である場合、含有炭素料が多い等の理由で応力腐食割れの感受性が高いので、新シュラウドについてはＳＵＳ３１６等の応力腐食割れが少ない材料製のものに交換することができるが、新シュラウドをＳＵＳ３０４材製とする場合、また交換せずに残存するＳＵＳ３０４材製のシュラウドサポートシリンダについては、熱影響を受ける部位に溶接肉盛り３８ａ，３ｂを施すことで、溶接部からの応力腐食割れ等による損傷の予防を図ることができる。なお、炉心シュラウドの下端部に必要に応じてインコネルの肉盛りを施してもよい。また、シュラウドサポートシリンダ３のみに施してもよい。
【００８８】
なお、これらの前提として、新シュラウド３８をサポートシリンダ３の上端に吊降す。この場合、原子炉圧力容器１の内壁に沿って幾つかの案内を取付け、新シュラウド３７の吊降しの際にジェットポンプ７等他の機器を損傷しないようにする。新シュラウド３８はジェットポンプディフューザ７ａ上端のステライト部からの高いレベルの放射線照射を防ぐ遮蔽としての役割をなすが、さらに遮蔽効果を得るため、新シュラウド３８の内壁に沿って遮蔽体を取付けてもよい。また炉水水位を下げた場合のアニュラス部１９からの放射線照射を防ぐため、新シュラウド３８の上端と原子炉圧力容器１との間にも遮蔽体を設けてもよい。炉水水位レベルを作業架台３０が気中に現れるまで下げる。
【００８９】
また、新シュラウド３８と原子炉圧力容器１との間のアニュラス部１９からのダストの舞い上がり防止と不活性ガス封入装置の準備のため、新シュラウド３８の上端のシート養生を行う。
【００９０】
なお、図３７に示すように、新シュラウド３８のシュラウドサポートシリンダ３への固定は、両接合部位に重合部分を設けて連結ピン９１で接合するようにしてもよく、また図３８に示すように、新シュラウド３８およびシュラウドサポートシリンダ３にブラケット９２，９３を設け、これらをボルト９４，９５で結合し、新シュラウド３８を締結するようにしてもよい。
【００９１】
なお、インコアスタビライザ２８の取付けについては、制御棒駆動機構ハウジング２１の上に設置した脚上に足場を設置して行うことができる。その足場は井桁状に組まれたインコアスタビライザ２８を避けて取外せるように、幾つかのセグメントに分けることが望ましい。
【００９２】
炉心シュラウド交換後は、炉心シュラウド内の作業架台３０および足場等を撤去すし、シュラウド中間部胴上部まで炉水水位レベルを上昇する。
【００９３】
そして、前記のように原子炉圧力容器１のフランジ上に仮足場を設置し、新炉心支持板４２を原子炉圧力容器１のフランジ上に吊上げ、数十本ある炉内核計装案内管２５および差圧検出・ホウ酸水流入配管１４の先端に取付けた延長棒を新炉心支持板４２の相当する位置の貫通穴に差し込む。全数差し込んだら、原子炉圧力容器１のフランジ上の仮足場を撤去する。
【００９４】
図３９〜図４２は、新炉心支持板４２および芯上部格子板４３を取付ける場合の芯出し作業を示している。
【００９５】
この芯出し作業には、図３９〜図４２に示すように、アライメント測定装置９６を用いて行うことができる。すなわち、図３９に示すように、新炉心支持板４２の制御棒案内管用の孔９７と制御棒駆動機構ハウジング２１の上端部との間、あるいは図４２に示す新上部格子板４３の方形の開口部９８と炉心支持板４２の制御棒案内管用の孔９７との間に筒状の容器９６ａを固定し、筒状の容器９６ａの中に吊下げた下げ振り９６ｂのずれを計測することにより、筒状の容器９６ａの傾きを計算・測定する装置を用いる。下げ振り９６ｂは自在継手部９６ｃにより上端部が支持され、常時垂直である。制御棒駆動機構ハウジング２１の上端部に対する新炉心支持板４２の制御棒案内管用の孔９７位置のずれ、あるいは新炉心支持板４２の制御棒案内管用の孔９８位置に対する新上部格子板４３の方形の開口部の位置のずれを何点か調べることにより、新炉心支持板４２あるいは新上部格子板４３の位置を知ることができる。この後、新炉心支持板４２および新上部格子板４３を新シュラウド３８にボルト締結する。ボルトの回り止めのためにタック溶接を遠隔で行うこともできる。なお、９９ａ，９９ｂはアライメント測定装置９６を新炉心支持板４２に係止するためのピンおよびブラケットである。
【００９６】
なお、他の作業としては、例えば原子炉圧力容器の炉底部の炉水を抜き、炉内に据付けた作業架台３０の一部に開けてある開口部から各種点検、補修装置を炉底部に下ろし、制御棒駆動機構ハウジング２１およびスタブチューブ回りの溶接補修を行う。
【００９７】
また、材料の表面部を圧縮応力に変え、応力腐食割れ等に対する予防保全処理を行う方法として、原子炉圧力容器の炉底部の炉水を抜き、ショットピーニング装置を炉底部に下ろし、スタブチューブ、制御棒駆動機構ハウジングおよび炉内各計装ハウジングなどの炉底部に据付けられている機器の溶接部周辺をショットピーニング施工することも容易にできる。
【００９８】
あるいは、炉内の溶存酸素を減少させ腐食電位を低下することにより、応力腐食割れ等に対する予防保全処理を行う方法として、原子炉圧力容器の炉底部の炉水を抜き、溶射装置を炉底部に下ろし、炉底部に据付けられている機器の表面にＰｔあるいはＰｄを含有するステンレス鋼あるいはインコネル鋼を溶射施工することも容易にできる。原子炉が再起動した際に、溶射金属内ＰｔあるいはＰｄが水の分解により生成した水素および酸素を再結合させる触媒として働き、炉内の溶存酸素料を減少させ、腐食電位を低下させる効果がある。
【００９９】
以上のように、本実施例によれば、遠隔操作および炉内作業により、元の炉心シュラウドとほとんど同じ構造に復旧することができる。作業員が原子炉圧力容器１内部に入り込める環境を利用し、原子炉圧力容器の内面あるいは炉底部に据え付けられている機器の溶接補修あるいは応力腐食割れ等に対する予防保全処理を行うことが容易に行える。
【０１００】
次に、図４３〜図６７によって本発明に関連する技術を開示例として説明する。この開示例は、炉心シュラウド２の交換とともに、ジェットポンプ７の交換を行う方法に関するものである。図４３は炉心シュラウドを切断撤去した状態を示す原子炉建屋の全体構成図、図４４〜図４７は本実施例による一連の手順を示すフローチャート、図４８〜図６７は炉心シュラウドの交換作業を順次に示す構成図である。
【０１０１】
本開示例においては、ジェットポンプ７の交換以外は前記実施例と略同様である。すなわち、処理の流れを示す図４４〜図４７において、ステップ２０１〜ステップ２４７に示した工程のうち、前記実施例と異なる点は、炉心シュラウド２の切断撤去の後、ジェットポンプ７を取り外す工程を追加した点である。すなわち、本開示例では、炉心シュラウド２の切断撤去の後、図４５に示すステップ２２０〜ステップ２２６までにおいて、ジェットポンプ７の切断、撤去、加工、溶接、取付けならびに原子炉再循環ポンプの切断および撤去を行っている。
【０１０２】
このように、炉心シュラウドの交換方法において、炉心シュラウドの取外し前または取外し後にジェットポンプも交換することで、炉心シュラウドを設置した状態でジェットポンプのみを単体で交換しようとした場合にジェットポンプが設置される原子炉圧力容器の炉壁と炉心シュラウドとの空間が狭隘であるためジェットポンプの交換設置は不可能であるに対して、シュラウド交換に関連してジェットポンプも交換することで、効率よく両者の交換が行えるようになる。
【０１０３】
また、図６８は本発明のさらに他の開示例を示している。この開示例では、切断撤去した炉心シュラウド２を、原子炉建屋２３に隣接した場所に設けたライニング槽２３ａに移送して保管する。この場合、別に設けたクレーン２４ａなどを用いることで、運搬が可能である。なお、周囲には所定の放射線遮蔽を設けて、被爆防止を図るようにする。本開示例によれば、機器ピット内のスペースおよび原子炉建屋２３のオペレーションフロア上のスペースを有効利用することができる。
【０１０４】
【発明の効果】
以上の実施例で説明したように本発明に係る炉心シュラウドの交換方法によれば、原子炉内の炉心シュラウドを交換する必要が生じた場合、遠隔操作のみに依存する必要なく、しかも被曝の問題を生じることなく、短い時間で効率よく、元の炉心シュラウドと殆ど同様の構造体との交換を行うことができる。特に、炉内除染の工程で、原子炉再循環ポンプ系統に化学薬剤を注入してジェットポンプによる炉水循環を行うことにより、原子炉圧力容器内の表面酸化物を除去することで、炉心シュラウド内に作業員が入り込んで作業を行うことが可能となり、遠隔操作のみに依存する場合に比較して、構造物に損傷を来すことなく構造剤の取外しや装着が行える。また、作業誤差や測定誤差を防止できるとともに、短時間で作業が可能となり、遠隔操作を行う場合に比べて費用も低減できるようになる。
【図面の簡単な説明】
【図１】本発明に係る炉心シュラウドの交換方法の一実施例を示す説明図で、炉内から構造材を取出して収納した状態を示す全体図。
【図２】前記一実施例の作用手順を示すフローチャート。
【図３】前記一実施例の作用手順を示すフローチャート。
【図４】前記一実施例の作用手順を示すフローチャート。
【図５】前記一実施例を適用する原子炉構造を示す図。
【図６】図５に示す原子炉を開放した状態を示す図。
【図７】図５に示す原子炉から順次に部品を取外す状態を示す図。
【図８】図５に示す原子炉から順次に部品を取外す状態を示す図。
【図９】図５に示す原子炉から順次に部品を取外す状態を示す図。
【図１０】前記一実施例において、炉心シュラウドを撤去した状態を示す図。
【図１１】前記一実施例において、エレベータ設置状態を示す図。
【図１２】前記一実施例において、シュラウドサポートリングの上端面の整形の様子を示す図。
【図１３】前記一実施例において、順次に構造部材を組込む状態を示す図。
【図１４】前記一実施例において、順次に構造部材を組込む状態を示す図。
【図１５】前記一実施例において、順次に構造部材を組込む状態を示す図。
【図１６】前記一実施例において、順次に構造部材を組込む状態を示す図。
【図１７】前記一実施例において、順次に構造部材を組込む状態を示す図。
【図１８】前記一実施例において、順次に構造部材を組込む状態を示す図。
【図１９】前記一実施例において、順次に構造部材を組込む状態を示す図。
【図２０】前記一実施例において、順次に構造部材を組込む状態を示す図。
【図２１】前記一実施例において、順次に構造部材を組込む状態を示す図。
【図２２】前記一実施例において、順次に構造部材を組込む状態を示す図。
【図２３】前記一実施例において、交換完了状態を示す図。
【図２４】前記一実施例の作用を詳細に示す図で、上部格子板の取付け構造を示す図。
【図２５】前記一実施例の作用を詳細に示す図で、炉心支持板の取付け構造を示す図。
【図２６】前記一実施例の作用を詳細に示す図で、化学除染の方法を示す図。
【図２７】前記一実施例の作用を詳細に示す図で、炉心シュラウドの切断方法を示す図。
【図２８】前記一実施例の作用を詳細に示す図で、炉心シュラウドの切断方法を示す図。
【図２９】（Ａ）〜（Ｄ）は炉心シュラウドの切断手順を順次に示す図。
【図３０】前記一実施例の作用を詳細に示す図で、炉心シュラウドの切断方法を示す図。
【図３１】前記一実施例の作用を詳細に示す図で、炉心シュラウドの切断方法を示す図。
【図３２】前記一実施例の作用を詳細に示す図で、炉心シュラウドの切断方法を示す図。
【図３３】前記一実施例の作用を詳細に示す図で、炉心シュラウドの切断位置を示す図。
【図３４】前記一実施例の作用を詳細に示す図で、新炉心シュラウドの接合状態を示す図。
【図３５】前記一実施例の作用を詳細に示す図で、新炉心シュラウドの溶接状態を示す図。
【図３６】前記一実施例の作用を詳細に示す図で、肉盛溶接の状態を示す図。
【図３７】前記一実施例の作用を詳細に示す図で、新炉心シュラウドの取付けに関する変形例を示す図。
【図３８】前記一実施例の作用を詳細に示す図で、新炉心シュラウドの取付けに関する変形例を示す図。
【図３９】前記一実施例の作用を詳細に示す図で、新炉心支持板の芯出し作用を示す図。
【図４０】前記一実施例の作用を詳細に示す図で、新炉心支持板の芯出し作用を示す図。
【図４１】前記一実施例の作用を詳細に示す図で、新炉心支持板の芯出し作用を示す図。
【図４２】前記一実施例の作用を詳細に示す図で、新炉心支持板の芯出し作用を示す図。
【図４３】本発明に係る炉心シュラウドの交換方法に関連する開示例を示す説明図で、炉内から構造材を取出して収納した状態を示す全体図。
【図４２】前記一実施例の作用手順を示すフローチャート。
【図４３】前記開示例の作用手順を示すフローチャート。
【図４４】前記開示例の作用手順を示すフローチャート。
【図４５】前記開示例の作用手順を示すフローチャート。
【図４６】前記開示例の作用手順を示すフローチャート。
【図４７】前記開示例の作用手順を示すフローチャート。
【図４８】前記開示例を適用する原子炉構造を示す図。
【図４９】図５に示す原子炉を開放した状態を示す図。
【図５０】図５に示す原子炉から順次に部品を取外す状態を示す図。
【図５１】図５に示す原子炉から順次に部品を取外す状態を示す図。
【図５２】図５に示す原子炉から順次に部品を取外す状態を示す図。
【図５３】前記開示例において、炉心シュラウドを撤去した状態を示す図。
【図５４】本発明の開示例においてジェットポンプを取外した状態を示す図。
【図５５】前記開示例において、エレベータ設置状態を示す図。
【図５６】前記開示例において、シュラウドサポートリングの上端面の整形の様子を示す図。
【図５７】前記開示例において、シュラウドサポートリングの上端面の整形の様子を示す図。
【図５８】前記開示例において、順次に構造部材を組込む状態を示す図。
【図５９】前記開示例において、順次に構造部材を組込む状態を示す図。
【図６０】前記開示例において、順次に構造部材を組込む状態を示す図。
【図６１】前記開示例において、順次に構造部材を組込む状態を示す図。
【図６２】前記開示例において、順次に構造部材を組込む状態を示す図。
【図６３】前記開示例において、順次に構造部材を組込む状態を示す図。
【図６４】前記開示例において、順次に構造部材を組込む状態を示す図。
【図６５】前記開示例において、順次に構造部材を組込む状態を示す図。
【図６６】前記開示例において、順次に構造部材を組込む状態を示す図。
【図６７】前記開示例において、交換完了状態を示す図。
【図６８】本発明のさらに他の開示例を示す説明図。
【符号の説明】
１  原子炉圧力容器
２  炉心シュラウド
２ａ，２ｂ…  筒状セグメント
３  シュラウドサポートシリンダ
４  シュラウドサポートレグ
５  上部格子板
６  炉心支持板
７  ジェットポンプ
７ａ  ジェットポンプディフューザ
７ｂ  ジェットポンプライザ管
７ｃ  ジェットポンプインレットミキサ
８  バッフルプレート
９  制御棒
１０  燃料
１０ａ  燃料支持金具
１１  制御棒案内管
１２  炉心スプレイ配管
１３  低圧注水配管
１４  差圧検出・ホウ酸水注入配管
１５  蒸気乾燥器
１６  気水分離器兼シュラウドヘッド
１７  原子炉圧力容器上蓋
１８  原子炉ウェル
１９  ペデスタル室
２０  制御棒駆動機構
２１  制御棒駆動動機構ハウジング
２２  ドライチューブ・ＬＰＲＭ検出器集合体
２３  原子炉建屋
２４  天井クレーン
２５  炉内核計装案内管
２６  給水スパージャ
２７  案内棒
２８  インコアスタビライザ
２９  シール容器
３０  作業架台
３１，３２  遮蔽体
３３  作業員
３４  エレベータ
３５  カプセル
３６  ガイド
３７  切断面成形機器
３８  新シュラウド
３９  芯出し装置
４０  溶接装置
４２  新炉心支持板
４３  新上部格子板
４４  給水スパージャ
５１  ブラケット
５２  楔
５３  ストッパ
５４  スタッド
５５  ボルト
５６  溶接部
５７  フランジ
５８  ボルト
５９  ナット
６０  コ字形キャップ
６１  ブロック
６２  溶接部
６３  原子炉再循環ポンプ
６４  流入配管
６５  化学薬剤注入装置
６６  流出配管
６７  冷却材浄化装置
６８  廃ガス装置
７０  シュラウド切断装置
７１  基台
７２  駆動機構
７３  回動爪
７４  係止孔
７５  筒状支持具
７６  ガイドレール
７７  ガイドレール
７８  切断装置
８０  切断開口部
８１  ブロック
８３  シュラウドサポートリング
８４，８５  溶接部
８７  ジャッキ
８６  仮設ブラケット
８８  取付け治具
８９  レール
９０  溶接裏当金
９１  連結ピン
９２，９３  ブラケット
９４，９５  ボルト
９６  アライメント測定装置
９６ａ  容器
９７  孔
９８  開口部
９９ａ，９９ｂ  ピンおよびブラケット
【図１】
0003679823.tif 000002
【図２】
0003679823.tif 000003
【図３】
0003679823.tif 000004
【図４】
0003679823.tif 000005
【図５】
0003679823.tif 000006
【図６】
0003679823.tif 000007
【図７】
0003679823.tif 000008
【図８】
0003679823.tif 000009
【図９】
0003679823.tif 000010
【図１０】
0003679823.tif 000011
【図１１】
0003679823.tif 000012
【図１２】
0003679823.tif 000013
【図１３】
0003679823.tif 000014
【図１４】
0003679823.tif 000015
【図１５】
0003679823.tif 000016
【図１６】
0003679823.tif 000017
【図１７】
0003679823.tif 000018
【図１８】
0003679823.tif 000019
【図１９】
0003679823.tif 000020
【図２０】
0003679823.tif 000021
【図２１】
0003679823.tif 000022
【図２２】
0003679823.tif 000023
【図２３】
0003679823.tif 000024
【図２４】
0003679823.tif 000025
【図２５】
0003679823.tif 000026
【図２６】
0003679823.tif 000027
【図２７】
0003679823.tif 000028
【図２８】
0003679823.tif 000029
【図２９】
0003679823.tif 000030
【図３０】
0003679823.tif 000031
【図３１】
0003679823.tif 000032
【図３２】
0003679823.tif 000033
【図３３】
0003679823.tif 000034
【図３４】
0003679823.tif 000035
【図３５】
0003679823.tif 000036
【図３６】
0003679823.tif 000037
【図３７】
0003679823.tif 000038
【図３８】
0003679823.tif 000039
【図３９】
0003679823.tif 000040
【図４０】
0003679823.tif 000041
【図４１】
0003679823.tif 000042
【図４２】
0003679823.tif 000043
【図４３】
0003679823.tif 000044
【図４４】
0003679823.tif 000045
【図４５】
0003679823.tif 000046
【図４６】
0003679823.tif 000047
【図４７】
0003679823.tif 000048
【図４８】
0003679823.tif 000049
【図４９】
0003679823.tif 000050
【図５０】
0003679823.tif 000051
【図５１】
0003679823.tif 000052
【図５２】
0003679823.tif 000053
【図５３】
0003679823.tif 000054
【図５４】
0003679823.tif 000055
【図５５】
0003679823.tif 000056
【図５６】
0003679823.tif 000057
【図５７】
0003679823.tif 000058
【図５８】
0003679823.tif 000059
【図５９】
0003679823.tif 000060
【図６０】
0003679823.tif 000061
【図６１】
0003679823.tif 000062
【図６２】
0003679823.tif 000063
【図６３】
0003679823.tif 000064
【図６４】
0003679823.tif 000065
【図６５】
0003679823.tif 000066
【図６６】
0003679823.tif 000067
【図６７】
0003679823.tif 000068
【図６８】
0003679823.tif 000069